(57)【要約】      （修正有）【課題】肩方向に引き抜くだけで容易に脱ぐことが可能な簡易着物を提供する。【解決手段】羽織の内側に着用する簡易着物において、前身頃と後身頃と衿とからなり、前身頃と後身頃とが肩部分のみで連結され、衿の衿先が前身頃の身丈より長く前身頃より下方に突出しているおり、また、衿先が前身頃の身丈から少なくとも帯の幅の長さ突出し、後身頃の身丈が、前身頃の身丈より短く、下端が帯の上方に位置する長さである。【選択図】図１
0003138495.tif 000002
【実用新案登録請求の範囲】
【請求項１】
羽織の内側に着用する簡易着物において、
前身頃と後身頃と衿とからなり、
該前身頃と該後身頃とが肩部分のみで連結され、
該衿の衿先が該前身頃の身丈より長く該前身頃より下方に突出していることを特徴とする簡易着物。
【請求項２】
前記衿先が、前記前身頃の身丈から少なくとも帯の幅の長さ突出していることを特徴とする請求項１記載の簡易着物。
【請求項３】
前記後身頃の身丈が、前記前身頃の身丈より短く、下端が帯の上方に位置する長さであることを特徴とする請求項１又は請求項２記載の簡易着物。
【考案の詳細な説明】
【技術分野】
【０００１】
本考案は、羽織の内側に着用する簡易着物に関する。
【背景技術】
【０００２】
従来より、着付けが難しい着物を、着用者が簡単に着用できるような着物として簡易着物が提案されている。例えば、特許文献１に示されているように、着物本体胴部のおはしょり部付近において、着物本体を上体衣側と下体衣側とに分割させて、両衣をファスナー等の連結具にて分離自在に連結しているものがある。
【特許文献１】実開平７−９９１７号公報
【考案の開示】
【考案が解決しようとする課題】
【０００３】
しかしながら、従来の簡易着物では、別の色の羽織に着替える場合に袖を抜いて着物を着替える必要があり、着替えが煩雑でスムーズに行うことができない。
【０００４】
本考案は、このような事情に鑑みてなされたもので、肩方向に引き抜くだけで容易に脱ぐことが可能な簡易着物を提供することにある。
【課題を解決するための手段】
【０００５】
請求項１記載の簡易着物は、前身頃と後身頃と衿とからなり、前身頃と後身頃とが肩部分のみで連結され、衿の衿先が前身頃の身丈より長く前身頃より下方に突出していることを特徴とする。
【０００６】
請求項２記載の簡易着物は、衿先が、前身頃の身丈から少なくとも帯の幅の長さ突出していることを特徴とする。
【０００７】
請求項３記載の簡易着物は、後身頃の身丈が、前身頃の身丈より短く、下端が帯の上方に位置する長さであることを特徴とする。
【考案の効果】
【０００８】
請求項１の考案によれば、前身頃と後身頃と衿とからなり、前身頃と後身頃とが肩部分のみで連結され、衿の衿先が前身頃の身丈より長く前身頃より下方に突出していることから、肩方向に引き抜くだけで容易に脱ぐことが可能である。
【０００９】
請求項２の考案によれば、衿先が、前身頃の身丈から少なくとも帯の幅の長さ突出していることから、帯で衿先が固定され、着衣の乱れを抑えることができる。
【００１０】
請求項３の考案によれば、後身頃の身丈が、前身頃の身丈より短く、下端が帯の上方に位置する長さであることから、後身頃が肩から垂れ下がるのみで固定されておらず、脱ぐのがより容易である。
【考案を実施するための最良の形態】
【００１１】
以下、本考案の形態について図面を参照しながら具体的に説明する。本考案の形態における簡易着物は、羽織の内側に着用する着物である。図１は、本考案に係る簡易着物の一例を示す正面図である。図２は同簡易着物の背面図、図３は同簡易着物の側面図である。図４は、同簡易着物の中に着用する長襦袢を示す正面図である。図５は、同簡易着物と同長襦袢との間に着用する着物を示す正面図である。図６〜図１１は、同簡易着物の着用の手順を示す説明図である。
【００１２】
図において、本実施例の簡易着物１は、前身頃１０と後身頃１２と衿１４とからなる。そして、前身頃１０と後身頃１２とが肩部分のみで連結されている。すなわち、図３に示すように、胴回り部分では前身頃１０と後身頃１２とは連結されておらず、脇部分は開放されており、袖がない。また、衿１４の衿先１６が前身頃１０の身丈より長く前身頃１０より下方に突出している。尚、簡易着物１の色は特に限定されるものではないが、本実施の形態では、黒である。さらに、後身頃１２の身丈が、前身頃１０の身丈より短く、下端が帯１８の上方に位置する長さである。具体的には、例えば、後身頃１２の身丈は前身頃１０の身丈とり６ｃｍ短い。
【００１３】
このような簡易着物１の着用の手順を説明する。まず、最初に図４に示すような長襦袢４を着用する。この長襦袢４の裄Ａは、後述する黒羽織２２の裄より短い。具体的には、例えば黒羽織２２の裄が７４ｃｍの場合には、長襦袢４の裄Ａを黒羽織より２．５ｃｍ短くする。
【００１４】
次に、図５に示すような白色着物６を長襦袢４の上に着用する。この白物着物６の裄Ｂは、後述する黒羽織２２の裄より短く、長襦袢４の裄Ａより長い。具体的には、例えば黒羽織２２の裄が７４ｃｍの場合には、白色着物６の裄Ｂを黒羽織より１．５ｃｍ短くする。これにより、一番上に黒羽織２２を着用した場合でも、白色着物６の袖口が黒羽織２２の袖口より出ないようになる。
【００１５】
次に、図６及び図７に示すように、簡易着物１を白色着物６の上に着用する。そして、帯１８を簡易着物１の後身頃１２に掛からないように締める。このとき、簡易着物１の衿先１６が、帯１８の下に来るように帯１８を締める。そして、図８に示すように、袴２０をはく。さらに、図９に示すように、簡易着物１及び白色着物６の上に、黒羽織２２を着用する。これにより、黒の羽織袴を着用したことになる。
【００１６】
次に、黒羽織２２から白羽織２４に着替える場合を説明する。まず、図１０に示すように、袴２０をはいたままで、黒羽織２２を脱ぎ、続けて簡易着物１を肩方向に抜き取って、白色着物６に袴２０の状態にする。そして、図１１に示すように、白色着物６の上から白羽織２４を着用する。これにより、白の羽織袴を着用したことになる。
【００１７】
以上のように、本実施の形態の簡易着物１によれば、前身頃１０と後身頃１２と衿１４とからなり、前身頃１０と後身頃１２とが肩部分のみで連結され、衿１４の衿先１６が前身頃１０の身丈より長く前身頃１０より下方に突出していることから、肩方向に引き抜くだけで容易に脱ぐことが可能である。特に、色の違う羽織に着替える場合に好都合である。また、衿先１６が、前身頃１０の身丈から少なくとも帯１８の幅の長さ突出していることから、帯１８で衿先１６が固定され、着衣の乱れを抑えることができる。さらに、後身頃１２の身丈が、前身頃１０の身丈より短く、下端が帯１８の上方に位置する長さであることから、後身頃１２が肩から垂れ下がるのみで固定されておらず、脱ぐのがより容易である。
【００１８】
尚、本実施例では、簡易着物１が黒で、白色着物６を長襦袢４の上に着用し、最初に黒羽織２２を着用し、次に白羽織２４に着替える場合を説明したが、色の組み合わせにより制限されるものではなく、それぞれの色は必要に応じて使い分けることが可能である。
【産業上の利用可能性】
【００１９】
以上のように、本考案によれば、肩方向に引き抜くだけで容易に脱ぐことが可能な簡易着物を提供することができる。
【図面の簡単な説明】
【００２０】
【図１】本考案に係る簡易着物の一例を示す正面図である。
【図２】同簡易着物の背面図である。
【図３】同簡易着物の側面図である。
【図４】同簡易着物の中に着用する長襦袢を示す正面図である。
【図５】同簡易着物と同長襦袢との間に着用する着物を示す正面図である。
【図６】同簡易着物の着用の手順を示す説明図である。
【図７】同簡易着物の着用の手順を示す説明図である。
【図８】同簡易着物の着用の手順を示す説明図である。
【図９】同簡易着物の着用の手順を示す説明図である。
【図１０】同簡易着物の着用の手順を示す説明図である。
【図１１】同簡易着物の着用の手順を示す説明図である。
【符号の説明】
【００２１】
１・・・・簡易着物
４・・・・長襦袢
６・・・・白色着物
１０・・・前身頃
１２・・・後身頃
１４・・・衿
１６・・・衿先
１８・・・帯
２０・・・袴
２２・・・黒羽織
２４・・・白羽織
【図１】
0003138495.tif 000003
【図２】
0003138495.tif 000004
【図３】
0003138495.tif 000005
【図４】
0003138495.tif 000006
【図５】
0003138495.tif 000007
【図６】
0003138495.tif 000008
【図７】
0003138495.tif 000009
【図８】
0003138495.tif 000010
【図９】
0003138495.tif 000011
【図１０】
0003138495.tif 000012
【図１１】
0003138495.tif 000013